(57)【要約】      （修正有）【課題】  絵画等の作品をセットしたり、取り替えるときにはコーナー部の連結を外したり組み立てをする作業を容易にし、組み立て後にコーナー部を簡単に固定することができる額縁のコーナー連結装置の提供。【解決手段】  長方形の額縁の４辺を成すフレーム本体２同士をそれぞれ直角に結合する額縁のコーナー連結装置において、コーナー連結装置本体３の湾曲条片３４を、フレーム本体２の二つの湾曲条２３内に嵌着して該二つの湾曲条２３のうち上側の湾曲条２２の先端部がコーナー連結装置本体３の弾性部３２下端に当接されて固定されるように構成した額縁のコーナー連結装置。【選択図】図３
2006223783.tif 000002
【特許請求の範囲】
【請求項１】
長方形の額縁の４辺を成すフレーム本体同士をそれぞれ直角に結合する額縁のコーナー連結装置において、コーナー連結装置本体の湾曲条片を、フレーム本体の二つの湾曲条内に嵌着して該二つの湾曲条のうち上側の湾曲条の先端部がコーナー連結装置本体の弾性部下端に当接されて固定されるように構成したことを特徴とする額縁のコーナー連結装置。
【請求項２】
各フレーム本体の内側に一体的に形成された湾曲条のスリットに、コーナー連結装置本体に一体的に形成された各突出部が嵌着され、フレーム本体同士の直角度を規制するように構成したことを特徴とする請求項１記載の額縁のコーナー連結装置。
【請求項３】
一旦、コーナー連結装置本体の湾曲条片を、フレーム本体の二つの湾曲条内に嵌着して該二つの湾曲条のうち上側の湾曲条の先端部がコーナー連結装置本体の弾性部下端に当接されて固定された後、再びフレーム本体を開いた状態では、下側の湾曲条の下端の突起条にコーナー連結装置本体の湾曲条に設けられた突条が当接して、４辺のフレーム本体が離脱しないように構成したことを特徴とする請求項１記載の額縁のコーナー連結装置。
【発明の詳細な説明】
【技術分野】
【０００１】  本発明は組立て式の額縁のコーナー連結装置に関し、特にフレームを開いた状態で絵画等の作品を容易にセットできる額縁のコーナー連結装置に関する。
【背景技術】
【０００２】  一般的に、絵画等の作品をセットしたり、取り替えるときにはコーナー部の連結を外したり、組み立てたりする手間が掛かるものであった。また、組み立て後にコーナー部を固定しなければならず、固定するための構造は、ロック部材やストッパーと称される部品を駆動するために複雑な構造を必要とするものであった。【０００３】  これらの例としては、特開平８−２４０９９号公報「額縁フレームの連結具」や特開平８−２１５０１０号公報「額縁及び額縁用枠体の枠体連結具」等が開示されている。【０００４】
【特許文献１】  特開平８−２４０９９号公報
【特許文献２】  特開平８−２１５０１０号公報
【発明の開示】
【発明が解決しようとする課題】
【０００５】  上述したように、この種の連結具は、絵画等の作品をセットしたり、取り替えるときにはコーナー部の連結を外したり、組み立てたりする手間が掛かるものであった。また、組み立て後にコーナー部を固定しなければならず、固定するための構造は、ロック部材やストッパーと称される部品を駆動するために複雑な構造を必要とするものであった。【０００６】  したがって、絵画等の作品をセットしたり、取り替えるときにはコーナー部の連結を外したり組み立てをする作業を容易にし、組み立て後にコーナー部を簡単に固定することができる額縁のコーナー連結装置を必要としていた。
【課題を解決するための手段】
【０００７】  このような課題を解決するために鋭意研究の結果発明の額縁のコーナー連結装置は、長方形の額縁の４辺を成すフレーム本体同士をそれぞれ直角に結合する額縁のコーナー連結装置において、コーナー連結装置本体の湾曲条片を、フレーム本体の二つの湾曲条内に嵌着して該二つの湾曲条のうち上側の湾曲条の先端部がコーナー連結装置本体の弾性部下端に当接されて固定されるように構成したことを特徴とし、各フレーム本体の内側に一体的に形成された湾曲条のスリットに、コーナー連結装置本体に一体的に形成された各突出部が嵌着され、フレーム本体同士の直角度を規制するように構成したことを特徴とし、且つ一旦、コーナー連結装置本体の湾曲条片を、フレーム本体の二つの湾曲条内に嵌着して該二つの湾曲条のうち上側の湾曲条の先端部がコーナー連結装置本体の弾性部下端に当接されて固定された後、再びフレーム本体を開いた状態では、下側の湾曲条の下端の突起条にコーナー連結装置本体の湾曲条片に設けられた突条が当接して、４辺のフレーム本体が離脱しないように構成したこ額縁のコーナー連結装置を提供するものである。
【発明の効果】
【０００８】  以上説明したような本発明の額縁のコーナー連結装置によれば、一旦、コーナー連結装置本体の湾曲条片を、フレーム本体の二つの湾曲条内に嵌着して該二つの湾曲条のうち上側の湾曲条の先端部がコーナー連結装置本体の弾性部下端に当接されて固定された後、再びフレーム本体を開いた状態では、下側の湾曲条の下端突の起条にコーナー連結装置本体の湾曲条に設けられた突条が当接して、４辺のフレーム本体が離脱しないように構成されているので、絵画等の作品をセットしたり、取り替えるときにはコーナー部の連結を外したり組み立てをする作業を容易にし、組み立て後にコーナー部を簡単に固定することができる額縁のコーナー連結装置を提供するものである。
【発明を実施するための最良の形態】
【０００９】  以下、図面に基づいて、本発明を実施するための最良の形態を具体的に説明する。
図面に於いて、図１は本発明に係る額縁のコーナー連結装置の平面図である。図２は図１のＡ−Ａ線の断面図である。図３は図２中のフレーム本体を開いた状態の断面図である。図４湾曲条の部分拡大断面図である。【００１０】  本発明の額縁のコーナー連結装置は、長方形の額縁を構成できるものであるが、構成の説明においては額縁のコーナー角について説明してあるが、各４コーナー連結装置本体とも同様の構成である。【００１１】    図１は、絵画等の作品１を本発明の額縁のコーナー連結装置を用いてフレーム本体２で固定した場合の部分平面図を示しており、略三角形の平面を有するコーナー連結装置本体３には、フレーム本体２に当接される位置に突出部３３，３３が一体的に形成されている。【００１２】  前記せる突出部３３，３３は、図１で明らかなように額縁の組立て状態において、それぞれフレーム本体２に一体的に形成された凹部２１，２１に密着状態で嵌着されているのでフレーム本体２が抜け落ちることがない。なお、図面上、突出部３３，３３と凹部２１，２１の嵌着位置をわかり易く表記してあるが、両者の間隙は実際の製品では密着状態に嵌着されている。【００１３】  更に、フレーム本体２に当接される位置にコ状のスリット３１，３１が形成されており弾性部３２，３２が一体的に形成されている。【００１４】  アルミ押出成形により形成されるフレーム本体２の断面は、図２に示すように、フレーム側面部２６と一体的に形成されるフレーム上面部２４、内向きに下方に湾曲してなる二つの湾曲条２２、２３及びフレーム底部２７が全て一体的に形成されている。【００１５】  湾曲条２２の下端部の突起条２２１は、図２に示すように、フレーム本体２が固定されてフレーム上面部２４の内側の作品挿入部２５に作品１が挿入された状態において、コーナー連結装置本体３の水平部３０側面から下方に延在して一体的に形成された弾性部３２の先端に固定され、額縁が組立てられる。【００１６】  また、コーナー連結装置本体３の水平部３０側面から下方に延在する垂直部３６の下端から上方に向けて一体的に延在する湾曲条片３４が形成されており、該湾曲条片３４の下面には突条３５が形成されている。【００１７】  したがって、図３に示すようにフレーム本体２を開いた状態で、下側の湾曲条２３の下端の突起条２３１にコーナー連結装置本体の湾曲条片３４に設けられた突条３５が当接して、４辺のフレーム本体が離脱しないように構成されている。【００１８】  この結果、長方形の額縁の４辺を成すフレーム本体同士が互いにの直角度を規制され、額縁が組立てられると共に、再びフレーム本体を開いた状態では、下側の湾曲条の下端突の起条にコーナー連結装置本体の湾曲条に設けられた突条が当接して、４辺のフレーム本体が離脱しないように構成されている。
【図面の簡単な説明】
【００１９】
【図１】  本発明に係る額縁のコーナー連結装置の平面図である。
【図２】  図１のＡ−Ａ線の断面図である。
【図３】  図２中のフレーム本体を開いた状態の断面図である。
【図４】  湾曲条の部分拡大断面図である。
【符号の説明】
【００２０】１．  作品
２．  フレーム本体
２１．  凹部
２２．  湾曲条
２２１．  突起条
２３．  湾曲条
２３１．  突起条
２４．  フレーム上面部
２５．  作品挿入部
２６．  フレーム側面部
２７．  フレーム底部
３．  コーナー連結装置本体
３０．  水平部
３１．  スリット
３２．  弾性部
３３．  突出部
３４．  湾曲条片
３５．  突条
３６．  垂直部
【図１】
2006223783.tif 000003
【図２】
2006223783.tif 000004
【図３】
2006223783.tif 000005
【図４】
2006223783.tif 000006